(57)【要約】【課題】トイレ装置の室内暖房装置において、一般に暖房ユニットの温度センサは吸気口付近に取り付けてあり、吹き出し口から離れているため狙いの温度にずれが生じ、更に小型のファンで室内全体を暖めようとするがゆえに、高めの温度の温風を吹き出す必要があり、吹き出し口の温度が温度センサの温度に比べて高くなる傾向にあった。【解決手段】温風の為の吸気口と吹き出し口と吸気した外気を前記吹き出し口から吹き出すためのファンを備え、吹き出し経路にヒータ、吸気口に温度の検出手段を備えたトイレ装置の室内暖房装置において、暖房設定温度よりも低い複数の閾値温度を設け、前記閾値温度を一旦超えて次に下回った場合に、その閾値温度に応じてあらかじめ設定されたモードでヒータをＯＮ／ＯＦＦ制御するようにした。【選択図】　図３
2004125190.tif 000002
【特許請求の範囲】
【請求項１】
温風の為の吸気口と吹き出し口と吸気した外気を前記吹き出し口から吹き出すためのファンを備え、吹き出し経路にヒータ、吸気口に温度の検出手段を備えたトイレ装置の室内暖房装置において、暖房設定温度よりも低い複数の閾値温度を設け、前記閾値温度を一旦超えて次に下回った場合に、その閾値温度に応じてあらかじめ設定されたモードでヒータをＯＮ／ＯＦＦ制御するようにしたことを特徴とする、トイレ装置。
【発明の詳細な説明】
【０００１】
【発明の属する技術分野】
本発明は、局部洗浄機能などを備えたトイレ装置において、トイレ室内を温風によって暖房する室内暖房装置を備えたトイレ装置に関するものである。
【０００２】
【従来の技術】
従来、暖房設定器で設定された温度と、室温検出用の温度センサで検出された室内温度に基づいて、トイレ室内を暖房するための温風暖房ユニットの運転・停止を制御する暖房制御部を備えた室内暖房装置において、暖房制御部は、温度センサで検出された室内温度が暖房設定温度以下の場合は温風暖房ユニットを運転状態にさせ、温度センサで検出された室内温度が暖房設定温度よりも所定温度だけ高い温度に設定した暖房停止温度に達した時に、温風暖房ユニットの運転を停止させるように構成した装置が知られている。
【０００３】
図１はトイレ装置の室内暖房装置のブロック構成図であり、室内暖房に無関係な部分は省略されている。ここで、５は室内暖房ユニットで、ヒータ６、ファン７、吸気口８、吹き出し口９、温度センサ４からなる。その他暖房温度設定器２と暖房スイッチ３が制御部１に接続されており、暖房スィッチ３が操作されるとヒータ６、ファン７が通電、駆動され、室内暖房運転状態となる。室内暖房運転状態中は、前記温度センサ４で室内暖房ユニットの吸気温度を監視し、暖房温度設定器で設定された温度となるよう制御部１が制御を行うものである。
【０００４】
図２は従来の暖房制御の動作を示すフローチャートである。室内暖房運転状態において、制御部１は温度センサ４で検出した室内温度Ｔｔが暖房温度設定器２で設定された暖房設定温度Ｔｂ以下であるか否かを判断し（Ｓ１）、検出した室内温度Ｔｔが暖房設定温度Ｔｂ以下であれば、
ファン７を駆動するとともに、ヒータ６への通電を行う（Ｓ２）。これにより温風が供給される。
【０００５】
ステップＳ３で制御部１は室内温度Ｔｔが暖房設定温度Ｔｂよりも若干高めに設定された暖房停止温度Ｔａに達したか否かを判断し、室内温度Ｔｔが暖房停止温度Ｔａに達している場合は、ステップ４でファン７の駆動を停止するとともに、ヒータ６への通電も停止させる。ここで、暖房停止温度Ｔａは暖房設定温度Ｔｂより２〜３℃高めに設定されている。（例えば、特許文献１参照。）
【０００６】
【特許文献１】
特開平６−２４８６８０号公報　（第１〜４頁、図１〜２）
【０００７】
【発明が解決しようとする課題】
一般に暖房ユニットの温度センサは吸気口付近に取り付けてあり、吹き出し口から離れているため狙いの温度にずれが生じ、更に小型のファンで室内全体を暖めようとするがゆえに、高めの温度の温風を吹き出す必要があり、吹き出し口の温度が温度センサの温度に比べて高くなる傾向にある。しかしながら先に述べた従来技術では、室内温度が設定温度より少し高めの暖房停止温度に達するまで連続して温風暖房ユニットの運転を継続しているため、温風の吹き出し口の温度がオーバーシュートし過ぎて熱くなり過ぎたり、設定温度が高い時に電源電圧が変動して高めになった場合は更に熱くなって危険な温度になる恐れがあり使い勝手が悪かった。
【０００８】
本発明は、このような課題を解決すべくなされたもので、温風の吹き出し口の温度がオーバーシュートし過ぎないように抑えた使い勝手の良い安全なトイレ装置を提供するとともに優れた保温性能を発揮するトイレ装置を提供することを目的とする。
【０００９】
【課題を解決するための手段および作用・効果】
上記課題を解決するためになされた請求項第１項記載の発明は、トイレ装置において、温風の為の吸気口と吹き出し口と吸気した外気を前記吹き出し口から吹き出すためのファンを備え、吹き出し経路にヒータ、吸気口に温度の検出手段を備えたトイレ装置の室内暖房装置において、暖房設定温度よりも低い複数の閾値温度を設け、前記閾値温度を一旦超えて次に下回った場合に、その閾値温度に応じてあらかじめ設定されたモードでヒータをＯＮ／ＯＦＦ制御するようにしたことを特徴とする。
【００１０】
本発明においては、暖房設定温度よりも低い複数の閾値温度を設け、最初の閾値温度でヒータへの通電を一旦停止し、暖房設定温度を超えるようなオーバーシュートを防ぎ、その後あらかじめ設定されたモードでＯＮ／ＯＦＦ制御することで、温度上昇のカーブを緩やかさせることが出来るため、熱くなり過ぎることなく暖房設定温度まで室内温度を高めることが可能となり、使い勝手の良い安全なトイレ装置を提供することが出来る。また、暖房設定温度付近においてあらかじめ設定されたモードでこまめにＯＮ／ＯＦＦ制御することで、優れた保温性能を発揮するトイレ装置を提供することが出来る。
【００１１】
【発明の実施の形態】
以下、本発明の実施の形態を、添付図面により詳細に説明する。
図１については従来の技術のところで説明したのでここでは省略する。
【００１２】
図４は従来の暖房温度制御のヒータ動作と温度変動を示す図であり、図５は本発明の暖房温度制御のヒータ動作と温度変動を示す図の一例である。横軸は経過時間、グラフ部分の縦軸は温度を表している。ここで、Ｔａは暖房停止温度、Ｔｂ、Ｔｃは暖房設定温度、Ｔｄは第二の閾値温度、Ｔｅは第一の閾値温度、Ｔｔは室内温度、Ｔｘは吹き出し口温度を示している。
【００１３】
図３は本発明の暖房制御の動作を示すフローチャートの一例である。室内暖房運転開始後、制御部１は温度センサ４で検出した室内温度Ｔｔが第一の閾値温度Ｔｅ未満であるか否かを判断し（Ｓ５）、室内温度Ｔｔが第一の閾値温度Ｔｅ未満であれば、ファン７を駆動するとともに、ヒータ６への通電を行う（Ｓ６）。これにより温風が供給される。室内温度Ｔｔが既に第一の閾値温度Ｔｅ以上であれば、ファン７の駆動やヒータ６への通電をせずに次の判断を行う。
【００１４】
ステップＳ７において温度センサ４で検出した室内温度Ｔｔが第二の閾値温度Ｔｄ未満であるか否かを判断し、室内温度Ｔｔが第二の閾値温度Ｔｄ以下であれば、暖房ＯＮ経過時間△ｔｏｎが暖房ＯＮ時間ｔａ以上であるか否かを判断し（Ｓ８）、未満の時は、暖房ＯＮすなわち温風を継続する。暖房ＯＮ時間ｔａ以上になった時、ファン７を停止するとともに、ヒータ６への通電をオフにする（Ｓ１０）。これにより温風は停止される。停止後、暖房ＯＦＦ経過時間△ｔｏｆｆが暖房ＯＦＦ時間ｔｂ以上であるか否かを判断し（Ｓ１１）、未満の時は、暖房ＯＦＦすなわち温風の停止を継続する。暖房ＯＦＦ時間ｔｂ以上になった時、ファン７を駆動するとともに、ヒータ６への通電を行う（Ｓ６）。これにより温風が再び吹き出される。
【００１５】
ステップＳ７において温度センサ４で検出した室内温度Ｔｔが第二の閾値温度Ｔｄを超えた場合、ファン７を停止するとともに、ヒータ６への通電をオフにする（Ｓ１４）。これにより温風は停止される。その後室内温度Ｔｔが第二の閾値温度Ｔｄ未満であるか否かの判断を繰り返し（Ｓ１５）、室内温度Ｔｔが第二の閾値温度Ｔｄ以下になれば、ファン７を駆動するとともに、ヒータ６への通電を行う（Ｓ１６）。これにより温風が再び吹き出される。
【００１６】
次に暖房ＯＮ経過時間△ｔｏｎが暖房ＯＮ時間ｔｃ以上であるか否かを判断し（Ｓ１７）、未満の時は、暖房ＯＮすなわち温風を継続する。暖房ＯＮ時間ｔｃ以上になった時、ファン７を停止するとともに、ヒータ６への通電をオフにする（Ｓ１９）。これにより温風は停止される。停止後、暖房ＯＦＦ経過時間△ｔｏｆｆが暖房ＯＦＦ時間ｔｄ以上であるか否かを判断し（Ｓ２０）、未満の時は、暖房ＯＦＦすなわち温風の停止を継続する。暖房ＯＦＦ時間ｔｄ以上になった時、ファン７を駆動するとともに、ヒータ６への通電を行う（Ｓ１６）。これにより温風が再び吹き出される。
【００１７】
図４、５を用いて説明する。従来例では、図４のように室内温度Ｔｔが暖房停止温度Ｔａに達すると、ヒータ動作がＯＦＦする。ＯＦＦした時、若干のオーバーシュートが生じるが、直前までフルＯＮしていた場合はそのオーバーシュートが少し高めとなり、吹き出し口では更に高くなっているため危険な場合があった。それに対し、本発明では、図５のように室内温度Ｔｔが第一の閾値温度Ｔｅに達すると、ヒータ動作がＯＦＦする。ＯＦＦした時、同様にオーバーシュートが生じるが、第一の閾値温度Ｔｅが暖房設定温度Ｔｃよりも低く設定しているため、危険な温度になることはないのである。
【００１８】
また、何らかの事情で電源電圧が高くなった時、必然的に温風温度は高くなるのであるが、フルＯＮのヒータをＯＦＦする温度すなわち第一の閾値温度Ｔｅが暖房設定温度Ｔｃよりも低いため、オーバーシュートが生じた場合でも、危険な温度になることはないのである。
【００１９】
さらに、室内温度Ｔｔが第一の閾値温度Ｔｅに一旦到達して、再度下回った後、ヒータ動作は第二の閾値温度Ｔｄを超えるまであらかじめ設定されたモードに基づきｔａ間ＯＮ、ｔｂ間ＯＦＦを繰り返し、室内温度Ｔｔは少しずつ緩やかに上昇して行く。次に室内温度Ｔｔが第二の閾値温度Ｔｄに一旦到達して、再度下回った後、ヒータ動作はあらかじめ設定されたモードに基づきｔｃ間ＯＮ、ｔｄ間ＯＦＦを繰り返し、こまめにＯＮ／ＯＦＦ制御することで、室内温度Ｔｔは暖房設定温度Ｔｃを超えない程度で保温することが可能となり、トイレ使用者は安全で快適な状態で使用することが出来るのである。
【００２０】
ここで、保温状態で何らかの事情で電源電圧が高くなった場合を考えると、従来例では暖房停止温度Ｔａを境にヒータをＯＮ／ＯＦＦするので、ヒータがＯＮしている間連続して高温の温風が出てしまうのに対し、本発明では、あらかじめ設定されたモードでこまめにＯＮ／ＯＦＦ制御するため、高温の温風が出る頻度を抑えることが可能となり、より安全で快適な状態で使用することが出来るのである。
【００２１】
上記実施例では、第一、第二の二つの閾値で説明して来たが、更に第三、第四など複数の閾値を設けても良い。また、閾値を超えた後のＯＮ／ＯＦＦ時間についてはあらかじめ設定されたモードを使用した例で説明したが、暖房設定温度Ｔｃ、室内温度Ｔｘ、ヒータ電力等から演算して
時間を求めるようにしても良い。
【００２２】
以上のように図面に基づいて実施例を説明して来たが、本発明がこの例に限定されないことは言うまでもない。
【図面の簡単な説明】
【図１】トイレ装置の室内暖房装置のブロック構成図である。
【図２】従来の暖房温度制御の動作を示すフローチャートである。
【図３】本発明の暖房温度制御の動作を示すフローチャートの一例である。
【図４】従来の暖房温度制御のヒータ動作と温度変動を示す図である。
【図５】本発明の暖房温度制御のヒータ動作と温度変動を示す図の一例である。
【符号の説明】
１…制御部、２…暖房温度設定器、３…暖房スィッチ、４…温度センサ、５…室内暖房ユニット、６…ヒータ、７…ファン、８…吸気口、９…吹き出し口、Ｔａ…暖房停止温度、Ｔｂ、Ｔｃ…暖房設定温度、Ｔｄ…第二の閾値温度、Ｔｅ…第一の閾値温度、Ｔｘ…吹き出し口温度、Ｔｔ…温度センサの検出室温（室内温度）、ｔａ、ｔｃ…暖房ＯＮ時間、ｔｂ、ｔｄ…暖房ＯＦＦ時間、△ｔｏｎ…暖房ＯＮ経過時間、△ｔｏｆｆ…暖房ＯＦＦ経過時間
【図１】
2004125190.tif 000003
【図２】
2004125190.tif 000004
【図３】
2004125190.tif 000005
【図４】
2004125190.tif 000006
【図５】
2004125190.tif 000007